(57)【要約】【課題】ボルトへの装着を容易に行なうことができる脱落防止具を提供する。【解決手段】脱落防止具１は、コイル素線２Ａが略円形状に略同一径で巻回されたコイルバネ部２と、張出部３を備える。張出部３は、コイルバネ部２を構成するコイル素線２Ａの一端から延びる延長コイル素線３Ａが、コイルバネ部２の巻回範囲より大きい巻回範囲で、かつ、コイルバネ部２と同心状に、かつ、略三角形状に巻回されている。張出部３は、コイル素線２Ａの一端から離れた延長コイル素線３Ａの先端から所定の範囲の領域であると共にコイルバネ部２の巻回中心が延びる方向と同じ方向でコイルバネ部２から離れる側に配置された端部領域３Ｂを有する。端部領域３Ｂは着色されている。端部領域３Ｂがナット５に押し付けられると、着色された端部領域３Ｂは、張出部３の巻回中心から離れる側に押し出され、外部から確認されやすくなる。【選択図】図３
2017198344.tif 000002
【特許請求の範囲】
【請求項１】
コイル素線が略円形状に略同一径で巻回されたコイルバネ部と、
該コイルバネ部を構成する前記コイル素線の一端から延びる延長コイル素線が、同コイルバネ部の巻回範囲より大きい巻回範囲で、かつ、同コイルバネ部と同心状に、かつ、複数の頂部が前記コイルバネ部の巻回中心から互いに略同一の距離に配置された形状である多角形状に、かつ、前記コイルバネ部の接線方向に略直線状に延びて巻回されており、かつ、前記コイル素線の一端から離れた前記延長コイル素線の先端から所定の範囲の領域であると共に前記コイルバネ部の巻回中心が延びる方向と同じ方向で前記コイルバネ部から離れる側に配置された端部領域を有する、張出部とを備える
脱落防止具。
【請求項２】
前記端部領域は、前記コイルバネ部の巻回範囲外であると共に前記張出部の巻回範囲内に突出して湾曲した
請求項１に記載の脱落防止具。
【請求項３】
前記張出部は、前記延長コイル素線が略三角形状に巻回された
請求項１または請求項２に記載の脱落防止具。
【請求項４】
前記コイルバネ部を構成する前記コイル素線の他端から延びる延長コイル素線が、同コイルバネ部の巻回範囲より大きい巻回範囲で、かつ、同コイルバネ部と同心状に、かつ、複数の頂部が前記コイルバネ部の巻回中心から互いに略同一の距離に配置された形状である多角形状に、かつ、前記コイルバネ部の接線方向に略直線状に延びて巻回されており、かつ、前記コイル素線の他端から離れた前記延長コイル素線の先端から所定の範囲の領域であると共に前記コイルバネ部の巻回中心が延びる方向と同じ方向で前記コイルバネ部から離れる側に配置された追加端部領域を有する、追加張出部を備える
請求項１に記載の脱落防止具。
【請求項５】
前記張出部は、前記延長コイル素線が略三角形状に巻回されており、
前記追加張出部は、前記延長コイル素線が略三角形状に巻回された
請求項４に記載の脱落防止具。
【請求項６】
前記張出部の前記頂部は、同張出部の略直線状の領域よりも、前記コイルバネ部の巻回中心が延びる方向と同じ方向で前記コイルバネ部から離れる側に配置された
請求項１、請求項２、請求項３、請求項４または請求項５に記載の脱落防止具。
【発明の詳細な説明】
【技術分野】
【０００１】
本発明は脱落防止具に関する。詳しくは、ボルトから被固定物やナットが脱落することを防止する脱落防止具に係るものである。
【背景技術】
【０００２】
一般に、建築構造物を構成する二つの部材を固定するための方法として、溶接によって固定する方法や、ボルトとナットによって締結する方法が用いられている。
【０００３】
また、溶接による固定は、溶接設備が必要となり、施工に手間と時間がかかり、また、固定を解除する場合も設備が必要となり、固定解除に手間と時間がかかるので、ボルトとナットによって締結する方法が多く採用されている。
【０００４】
しかし、ボルトとナットによって締結する方法において、ボルトやナットが振動等を受けることにより、締結後にボルトやナットが緩むことがあるため、ボルトやナットが緩んで、ボルトから被固定物やナットが脱落しないようにする発明が幾つか提案されている。
【０００５】
例えば特許文献１には、図１０に示すような緩止機能付きナット４０１が記載されている。
すなわち、特許文献１に記載の緩止機能付きナット４０１は、緩止具４０３と、六角ナット１０２とで構成されている。
【０００６】
また、緩止具４０３は、金属線が略同一径で巻回された緩止コイル部１０３Ａと、緩止コイル部１０３Ａの下端から接線方向に外方に向かって、六角ナット１０２の外縁を越えて延伸した金属線で構成された締付自動調整部４１０とを有する。
【０００７】
また、緩止具４０３は、緩止コイル部１０３Ａの上端から下方に屈曲し、円環状の細溝であり六角ナット１０２の上面に形成された緩止具係合部４３０と係合可能なナット係合部４２０を備える。
【０００８】
また、ナット係合部４２０は、緩止コイル部１０３Ａの直径よりも大巻する部分１０３Ｂと、六角ナット１０２と係合する部分１０３Ｃとで構成されている。
【先行技術文献】
【特許文献】
【０００９】
【特許文献１】特開２０１１‐２３１９０４号公報
【発明の概要】
【発明が解決しようとする課題】
【００１０】
しかしながら、特許文献１に記載の緩止具は、直線部分として締付自動調整部を有しているものの、締付自動調整部はボルトのネジ溝に嵌め込まれるような構成ではないため、緩止具をボルトに装着しにくいという問題があった。
【００１１】
本発明は、以上の点に鑑みて創案されたものであり、ボルトへの装着を容易に行なうことができる脱落防止具を提供することを目的とする。
【課題を解決するための手段】
【００１２】
上記の目的を達成するために、本発明の脱落防止具は、コイル素線が略円形状に略同一径で巻回されたコイルバネ部と、該コイルバネ部を構成する前記コイル素線の一端から延びる延長コイル素線が、同コイルバネ部の巻回範囲より大きい巻回範囲で、かつ、同コイルバネ部と同心状に、かつ、複数の頂部が前記コイルバネ部の巻回中心から互いに略同一の距離に配置された形状である多角形状に、かつ、前記コイルバネ部の接線方向に略直線状に延びて巻回されており、かつ、前記コイル素線の一端から離れた前記延長コイル素線の先端から所定の範囲の領域であると共に前記コイルバネ部の巻回中心が延びる方向と同じ方向で前記コイルバネ部から離れる側に配置された端部領域を有する、張出部とを備える。
【００１３】
ここで、コイル素線が略円形状に略同一径で巻回されたコイルバネ部によって、ボルトの脚部に嵌合することができる。
【００１４】
また、コイルバネ部を構成するコイル素線の一端から延びる延長コイル素線が、コイルバネ部の巻回範囲より大きい巻回範囲で、かつ、コイルバネ部と同心状に、かつ、複数の頂部がコイルバネ部の巻回中心から互いに略同一の距離に配置された形状である多角形状に、かつ、コイルバネ部の接線方向に略直線状に延びて巻回された張出部によって、延長コイル素線の少なくとも３箇所の直線部分をボルトのネジ溝に嵌め込むことができる。
【００１５】
また、コイル素線の一端から離れた延長コイル素線の先端から所定の範囲の領域であると共にコイルバネ部の巻回中心が延びる方向と同じ方向でコイルバネ部から離れる側に配置された端部領域を有する張出部によって、このような張出部はコイルバネ部を囲むように形成されないので、延長コイル素線の少なくとも３箇所の直線部分をボルトのネジ溝に嵌め込みやすい。
【００１６】
また、コイル素線の一端から離れた延長コイル素線の先端から所定の範囲の領域であると共にコイルバネ部の巻回中心が延びる方向と同じ方向でコイルバネ部から離れる側に配置された端部領域を有する張出部によって、張出部がナット側に配置された場合、ナットに押し付けられた端部領域は張出部の巻回範囲の外側すなわち巻回中心から離れる側に押し出され、使用者は、脱落防止の効果を目視で確認することができる。
【００１７】
また、本発明の脱落防止具において、端部領域は、コイルバネ部の巻回範囲外であると共に張出部の巻回範囲内に突出して湾曲したものとすることができる。
【００１８】
この場合、ナットに押し付けられた端部領域は張出部の巻回範囲の外側に押し出され、さらに張出部の端部領域以外の領域に、突出して湾曲した端部領域が当たって外側へ押し出される。そして、端部領域が当たってさらに押し出された分、端部領域には戻ろうとする力が発生し、脱落防止具に緊縮力を与えることができる。
【００１９】
さらに、本発明の脱落防止具において、張出部は、延長コイル素線が略三角形状に巻回されたものとすることができる。
【００２０】
この場合、延長コイル素線の３箇所の直線部分をボルトのネジ溝に嵌め込むことができる。
【００２１】
また、本発明の脱落防止具は、コイルバネ部を構成するコイル素線の他端から延びる延長コイル素線が、コイルバネ部の巻回範囲より大きい巻回範囲で、かつ、コイルバネ部と同心状に、かつ、複数の頂部がコイルバネ部の巻回中心から互いに略同一の距離に配置された形状である多角形状に、かつ、コイルバネ部の接線方向に略直線状に延びて巻回されており、かつ、コイル素線の他端から離れた延長コイル素線の先端から所定の範囲の領域であると共にコイルバネ部の巻回中心が延びる方向と同じ方向でコイルバネ部から離れる側に配置された追加端部領域を有する、追加張出部を備えるものとすることができる。
【００２２】
ここで、コイルバネ部を構成するコイル素線の他端から延びる延長コイル素線がコイルバネ部の巻回範囲より大きい巻回範囲で、かつ、コイルバネ部と同心状に、かつ、複数の頂部がコイルバネ部の巻回中心から互いに略同一の距離に配置された形状である多角形状に、かつ、コイルバネ部の接線方向に略直線状に延びて巻回された追加張出部によって、使用者は、手または汎用工具で追加張出部を掴んで脱落防止具に回転を加えやすい。
【００２３】
また、コイル素線の他端から離れた延長コイル素線の先端から所定の範囲の領域であると共にコイルバネ部の巻回中心が延びる方向と同じ方向でコイルバネ部から離れる側に配置された追加端部領域を有する追加張出部によって、追加張出部がナット側に配置された場合、ナットに押し付けられた追加端部領域は追加張出部の巻回範囲の外側すなわち巻回中心から離れる側に押し出され、使用者は、脱落防止の効果を目視で確認することができる。
すなわち、張出部側から脱落防止具をボルトに装着しても、追加張出部側から脱落防止具をボルトに装着しても、使用者は、脱落防止の効果を目視で確認することができる。
【００２４】
また、本発明の脱落防止具において、張出部は、延長コイル素線が略三角形状に巻回されており、追加張出部は、延長コイル素線が略三角形状に巻回されたものとすることができる。
【００２５】
この場合、使用者は、張出部と追加張出部のどちらからボルトへ装着しても、同じように直線部分をネジ溝に嵌め込みやすいので、脱落防止具の向きを気にすることなくボルトへ装着できる。
【００２６】
また、本発明の脱落防止具において、端部領域は、他の領域の色と異なる色に着色されたものとすることができる。
【００２７】
この場合、使用者は、脱落防止の効果を目視でさらに確認しやすい。
【００２８】
また、本発明の脱落防止具において、張出部の頂部は、張出部の略直線状の領域よりも、コイルバネ部の巻回中心が延びる方向と同じ方向でコイルバネ部から離れる側に配置されたものとすることができる。
【００２９】
この場合、頂部が、ナットの傾斜した境界領域に充分に当たり、ナットの左回転を抑える力を向上させることができる。
【発明の効果】
【００３０】
本発明に係る脱落防止具は、ボルトへの装着を容易に行なうことができる。
【図面の簡単な説明】
【００３１】
【図１】本発明を適用した脱落防止具の第１の実施形態を示す概略図である。
【図２】図１に示した本発明の脱落防止具の概略平面図である。
【図３】図１に示した本発明の脱落防止具を、ボルトおよびナットに装着した状態を示す概略平面図である。
【図４】本発明を適用した脱落防止具の第２の実施形態を示す概略平面図である。
【図５】図４に示した本発明の脱落防止具を、ボルトおよびナットに装着した状態を示す概略平面図である。
【図６】本発明を適用した第２の実施形態の脱落防止具の変形例を示す概略部分拡大図である。
【図７】本発明を適用した第３の実施形態の脱落防止具を、ボルトおよびナットに装着した状態を示す概略平面図である。
【図８】本発明を適用した脱落防止具の第４の実施形態を示す概略図である。
【図９】本発明を適用した第４の実施形態の脱落防止具を、ボルトおよびナットに装着した状態を示す概略平面図である。
【図１０】従来の緩止具を示す概略図である。
【発明を実施するための形態】
【００３２】
以下、本発明の実施の形態について図面を参照しながら説明し、本発明の理解に供する。
図１は、本発明を適用した脱落防止具の第１の実施形態を示す概略図である。また、図２は、図１に示した本発明の脱落防止具の概略平面図である。
【００３３】
図１に示す本発明の第１の実施形態の脱落防止具１は、コイル素線２Ａが略円形状に略同一径で巻回されたコイルバネ部２を備える。
ここで、コイルバネ部２の径は、ボルトの脚部の外径よりもわずかに小さい。
【００３４】
また、本発明の脱落防止具１は、張出部３を備える。
ここで、張出部３は、コイルバネ部２を構成するコイル素線２Ａの一端から延びる延長コイル素線３Ａが、コイルバネ部２の巻回範囲より大きい巻回範囲で、かつ、コイルバネ部２と同心状に、かつ、３つの頂部３Ｃがコイルバネ部２の巻回中心から互いに略同一の距離に配置された形状である略三角形状に巻回されて構成されている。
【００３５】
また、張出部３は、延長コイル素線３Ａがコイルバネ部２の外側の接線方向に略直線状に延びて巻回されて構成されている。
すなわち、張出部３の略直線状の部分は、コイルバネ部２の外径よりも外側に位置しており、本発明の脱落防止具１のボルトの脚部への嵌合を誘い込むことができる。
【００３６】
また、張出部３は、コイル素線２Ａの一端から離れた延長コイル素線３Ａの先端から所定の範囲の領域であると共にコイルバネ部２の巻回中心が延びる方向と同じ方向でコイルバネ部２から離れる側に配置された端部領域３Ｂを有する。
【００３７】
本明細書において、「コイルバネ部の巻回中心が延びる方向と同じ方向でコイルバネ部から離れる側に配置された」とは、すなわち、例えば図２に示すように本発明の脱落防止具１をコイルバネ部２側から、コイルバネ部２の巻回中心が延びる方向と同じ方向で見たときに、延長コイル素線３Ａの他の領域の向こう側に配置されたことを意味する。
【００３８】
また、端部領域３Ｂは、他の領域すなわち延長コイル素線３Ａの他の領域やコイル素線２Ａの領域それぞれの色と異なる色、例えば赤色、緑色または黄色に着色されている。
【００３９】
また、図３は、図１に示した本発明の脱落防止具を、ボルトおよびナットに装着した状態を示す概略平面図である。なお、図３において被固定物の図示を省略している。
本発明の脱落防止具１を、ボルト４のネジ溝が形成された脚部に装着する場合、張出部３をボルト４の脚部に向けて、本発明の脱落防止具１をボルト４の脚部に押し当てながら右回転させる。
【００４０】
このとき、張出部３を構成する延長コイル素線３Ａの３箇所の直線部分が、ボルト４の図示していないネジ溝に嵌り込む。
また、コイルバネ部２の張出部３側に位置するコイル素線２Ａがボルト４の脚部の端部に当接する。
【００４１】
さらに本発明の脱落防止具１の右回転を続けていくと、コイルバネ部２が誘導して、コイルバネ部２のコイル素線２Ａもボルト４のネジ溝に嵌り込んでいき、速い挿入および装着ができる。
【００４２】
そして、本発明の脱落防止具１の右回転を続けていって端部領域３Ｂがナット５に押し付けられると、図３に示すように、着色された端部領域３Ｂは、張出部３の巻回範囲の外側すなわち張出部３の巻回中心から離れる側に押し出され、外部から確認されやすくなる。
その結果、使用者は、本発明の脱落防止具１がしっかりとナット５に押し付けられていることを知ることができ、脱落防止の効果を目視で確認することができる。
【００４３】
また、張出部３がナット５の端面すなわち図３で示されている面に当たり、ナット５の左回転を抑える力が発生する。また、バネ効果によって常時、反作用がある。
また、端部領域３Ｂが張出部３の巻回中心から離れる側に押し出されていることによって、端部領域３Ｂが元の位置に戻ろうとするため、ボルト４への緊縮力が発生する。
【００４４】
図４は、本発明を適用した脱落防止具の第２の実施形態を示す概略平面図である。
なお、第２の実施形態を示す図４および図５において、第１の実施形態と同じ部材については第１の実施形態と同じ符号が付されている。
【００４５】
図４に示す本発明の第２の実施形態の脱落防止具１１は、張出部１３を備える。
ここで、張出部１３は、コイルバネ部２を構成するコイル素線２Ａの一端から延びる延長コイル素線１３Ａが、コイルバネ部２の巻回範囲より大きい巻回範囲で、かつ、コイルバネ部２と同心状に、かつ、３つの頂部１３Ｃがコイルバネ部２の巻回中心から互いに略同一の距離に配置された形状である略三角形状に巻回されて構成されている。
【００４６】
また、張出部１３は、延長コイル素線１３Ａがコイルバネ部２の外側の接線方向に略直線状に延びて巻回されて構成されている。
【００４７】
また、張出部１３は、コイル素線２Ａの一端から離れた延長コイル素線１３Ａの先端から所定の範囲の領域であると共にコイルバネ部２の巻回中心が延びる方向と同じ方向でコイルバネ部２から離れる側に配置された端部領域１３Ｂを有する。
【００４８】
また、図４に示すように、端部領域１３Ｂは、コイルバネ部２の巻回範囲外であると共に張出部１３の巻回範囲内に突出して湾曲している。
【００４９】
また、端部領域１３Ｂは、他の領域すなわち延長コイル素線１３Ａの他の領域やコイル素線２Ａの領域それぞれの色と異なる色に着色されている。
【００５０】
また、図５は、図４に示した本発明の脱落防止具を、ボルトおよびナットに装着した状態を示す概略平面図である。なお、図５において被固定物の図示は省略している。
【００５１】
本発明の第２の実施形態の脱落防止具１１も、本発明の第１の実施形態の脱落防止具１と同様に、ボルト４の脚部に装着する場合、張出部１３をボルト４の脚部に向けて、本発明の脱落防止具１１をボルト４の脚部に押し当てながら右回転させる。
【００５２】
このとき、張出部１３を構成する延長コイル素線１３Ａの３箇所の直線部分が、ボルト４の図示していないネジ溝に嵌り込む。
また、コイルバネ部２の張出部１３側に位置するコイル素線２Ａがボルト４の脚部の端部に当接する。
【００５３】
さらに本発明の脱落防止具１１の右回転を続けていって端部領域１３Ｂがナット５に押し付けられると、図５に示すように、着色された端部領域１３Ｂは、張出部１３の巻回範囲の外側すなわち張出部１３の巻回中心から離れる側に押し出され、外部から確認されやすくなる。
その結果、使用者は、本発明の脱落防止具１１がしっかりとナット５に押し付けられていることを知ることができ、脱落防止の効果を目視で確認することができる。
【００５４】
さらに、本発明の第２の実施形態の脱落防止具１１は、端部領域１３Ｂが、コイルバネ部２の巻回範囲外であると共に張出部１３の巻回範囲内に突出して湾曲しているので、さらに張出部１３の端部領域以外の領域に、突出して湾曲した端部領域１３Ｂが当たって外側へ押し出される。
そして、張出部１３の端部領域以外の領域に端部領域１３Ｂが当たってさらに押し出された分、端部領域１３Ｂには戻ろうとする力が発生し、本発明の脱落防止具１１に緊縮力を与えることができる。
【００５５】
また、湾曲した端部領域１３Ｂの湾曲の大きさを変えることで、張出部１３の端部領域以外の領域に端部領域１３Ｂが当たってさらに押し出された際に端部領域１３Ｂに発生する、戻ろうとする力の大きさを変えることができる。
【００５６】
図６は、本発明を適用した第２の実施形態の脱落防止具の変形例を示す概略部分拡大図である。
図６に示すように、頂部１３Ｃを中心とした両側の一定領域が、傾斜部１３Ｄを設けることによって、それ以外の領域すなわち延長コイル素線１３Ａの略直線状の領域よりも、コイルバネ部２の巻回中心が延びる方向と同じ方向においてコイルバネ部２から離れた側に位置している。
すなわち、頂部１３Ｃを中心とした両側の一定領域が、図６において下方に傾斜している。
【００５７】
また、３箇所の頂部１３Ｃそれぞれを中心とした両側の一定領域をこのような構成にすることによって、この一定領域がナットに充分に当たり、ナットの左回転を抑える力を向上させることができる。
【００５８】
すなわち、一般的に、ナットの端面と、ナットの端面に対して略直交する側面とが互いに接する境界領域は、図６に示すように頂部１３Ｃを中心とした両側の一定領域を、延長コイル素線１３Ａの略直線状の領域よりも、コイルバネ部２の巻回中心が延びる方向と同じ方向においてコイルバネ部２から離れた側に位置させることによって、頂部１３Ｃを中心とした両側の一定領域が、ナットの傾斜した境界領域に充分に当たり、ナットの左回転を抑える力を向上させることができる。
なお、図面ではナットの境界領域の傾斜は図示を省略している。
【００５９】
図７は、本発明を適用した第３の実施形態の脱落防止具を、ボルトおよびナットに装着した状態を示す概略平面図である。
なお、第３の実施形態を示す図７において、第１の実施形態と同じ部材については第１の実施形態と同じ符号が付されている。
また、図７において被固定物の図示は省略している。
【００６０】
図７に示す本発明の第３の実施形態の脱落防止具２１は、張出部２３を備える。
ここで、張出部２３は、コイルバネ部２を構成するコイル素線２Ａの一端から延びる延長コイル素線２３Ａが、コイルバネ部２の巻回範囲より大きい巻回範囲で、かつ、コイルバネ部２と同心状に、かつ、３つの頂部２３Ｃがコイルバネ部２の巻回中心から互いに略同一の距離に配置された形状である略三角形状に巻回されていると共に、さらにもう１つの頂部２３Ｃを形成するよう巻回されて構成されている。
【００６１】
また、張出部２３は、延長コイル素線２３Ａが２箇所においてコイルバネ部２の外側の接線方向に略直線状に延びて巻回されて構成されている。
【００６２】
また、張出部２３は、コイル素線２Ａの一端から離れた延長コイル素線２３Ａの先端から所定の範囲の領域であると共にコイルバネ部２の巻回中心が延びる方向と同じ方向でコイルバネ部２から離れる側に配置された端部領域２３Ｂを有する。
【００６３】
また、端部領域２３Ｂは、他の領域すなわち延長コイル素線２３Ａの他の領域やコイル素線２Ａの領域それぞれの色と異なる色に着色されている。
【００６４】
本発明の第３の実施形態の脱落防止具２１も、本発明の第１の実施形態の脱落防止具１と同様に、ボルト４の脚部に装着する場合、張出部２３をボルト４の脚部に向けて、本発明の脱落防止具２１をボルト４の脚部に押し当てながら右回転させる。
【００６５】
このとき、張出部２３を構成する延長コイル素線２３Ａの２箇所の直線部分が、ボルト４の図示していないネジ溝に嵌り込む。
また、コイルバネ部２の張出部２３側に位置するコイル素線２Ａがボルト４の脚部の端部に当接する。
【００６６】
さらに本発明の脱落防止具２１の右回転を続けていって端部領域２３Ｂがナット５に押し付けられると、図７に示すように、着色された端部領域２３Ｂは、張出部２３の巻回範囲のうちコイル素線２Ａの一端から数えて３番目の頂部２３Ｃまでの巻回範囲の外側すなわち張出部２３の巻回中心から離れる側に押し出され、外部から確認されやすくなる。
その結果、使用者は、本発明の脱落防止具２１がしっかりとナット５に押し付けられていることを知ることができ、脱落防止の効果を目視で確認することができる。
【００６７】
図８は、本発明を適用した脱落防止具の第４の実施形態を示す概略図である。
図８に示す本発明の第４の実施形態の脱落防止具３１は、コイル素線２Ａが略円形状に略同一径で巻回されたコイルバネ部２を備える。
ここで、コイルバネ部２の径は、ボルトの脚部の外径よりもわずかに小さい。
【００６８】
また、本発明の脱落防止具３１は、張出部３と追加張出部３４を備える。
ここで、張出部３は、コイルバネ部２を構成するコイル素線２Ａの一端から延びる延長コイル素線３Ａが、コイルバネ部２の巻回範囲より大きい巻回範囲で、かつ、コイルバネ部２と同心状に、かつ、３つの頂部３Ｃがコイルバネ部２の巻回中心から互いに略同一の距離に配置された形状である略三角形状に巻回されて構成されている。
【００６９】
また、張出部３は、延長コイル素線３Ａがコイルバネ部２の外側の接線方向に略直線状に延びて巻回されて構成されている。
【００７０】
また、張出部３は、コイル素線２Ａの一端から離れた延長コイル素線３Ａの先端から所定の領域であると共にコイルバネ部２の巻回中心が延びる方向と同じ方向でコイルバネ部２から離れる側に配置された端部領域３Ｂを有する。
【００７１】
また、端部領域３Ｂは、他の領域すなわち延長コイル素線３Ａの他の領域やコイル素線２Ａの領域それぞれの色と異なる色に着色されている。
【００７２】
また、追加張出部３４は、コイルバネ部２を構成するコイル素線２Ａの他端から延びる延長コイル素線３４Ａが、コイルバネ部２の巻回範囲より大きい巻回範囲で、かつ、コイルバネ部２と同心状に、かつ、３つの頂部３４Ｃがコイルバネ部２の巻回中心から互いに略同一の距離に配置された形状である略三角形状に巻回されて構成されている。
【００７３】
また、追加張出部３４は、延長コイル素線３４Ａがコイルバネ部２の外側の接線方向に略直線状に延びて巻回されて構成されている。
【００７４】
また、追加張出部３４は、コイル素線２Ａの他端から離れた延長コイル素線３４Ａの先端から所定の範囲の領域であると共にコイルバネ部２の巻回中心が延びる方向と同じ方向でコイルバネ部２から離れる側に配置された追加端部領域３４Ｂを有する。
【００７５】
また、追加端部領域３４Ｂは、端部領域３Ｂとは異なり、着色されていない。
【００７６】
また、本発明の脱落防止具３１を、ボルトのネジ溝が形成された脚部に装着する場合、端部領域３Ｂが着色されている張出部３をボルトの脚部に向けて、本発明の脱落防止具３１をボルトの脚部に押し当てながら右回転させる。
【００７７】
ここで、着色されていない追加端部領域と着色された端部領域とを設け、端部領域が着色されている張出部をボルトの脚部に向けて本発明の脱落防止具をボルトの脚部に装着する理由は次のとおりである。
【００７８】
このように本発明の脱落防止具をボルトの脚部に装着すれば、本発明の脱落防止具の右回転を続けていって、着色された端部領域がナットに押し当てられ、着色された端部領域が張出部の巻回中心から離れる側に押し出されて、外部から確認されやすくなり、その結果、使用者は、本発明の脱落防止具がしっかりとナットに押し付けられていることを認識しやすいからである。
【００７９】
また、端部領域と追加端部領域の両方が着色されていると、ナットに押し当てられていない方の着色領域も外部から確認されることになり、かえって使用者は、本発明の脱落防止具がしっかりとナットに押し付けられていることを認識し難くなるからである。
【００８０】
また、本発明の第４の実施形態の脱落防止具３１は、張出部３と追加張出部３４がどちらも延長コイル素線を略三角形状に巻回して構成されているので、使用者は、張出部３と追加張出部３４のどちらからボルトへ装着しても、同じように直線部分をネジ溝に嵌め込みやすいため、本発明の脱落防止具３１の向きを気にすることなくボルトへ装着することができる。
【００８１】
また、本発明の第４の実施形態の脱落防止具３１は、延長コイル素線が略三角形状に巻回されて構成された張出部３と追加張出部３４を備えているので、使用者は、どちらか一方を掴んで本発明の脱落防止具３１に回転を加えることができ、本発明の脱落防止具３１を回転させやすい。
【００８２】
図９は、本発明を適用した第４の実施形態の脱落防止具を、ボルトおよびナットに装着した状態を示す概略平面図である。なお、図９において被固定物の図示は省略している。
【００８３】
本発明の脱落防止具３１を、ボルト４のネジ溝が形成された脚部に装着する場合、張出部３をボルト４の脚部に向けて、本発明の脱落防止具３１をボルト４の脚部に押し当てながら右回転させる。
【００８４】
そして、本発明の脱落防止具３１の右回転を続けていって端部領域３Ｂがナット５に押し付けられると、図９に示すように、着色された端部領域３Ｂは、張出部３の巻回中心から離れる側に押し出され、外部から確認されやすくなる。
その結果、使用者は、本発明の脱落防止具３１がしっかりとナット５に押し付けられていることを知ることができ、脱落防止の効果を目視で確認することができる。
【００８５】
また、張出部３がナットの端面すなわち図９で示されている面に当たり、ナット５の左回転を抑える力が発生する。また、バネ効果によって常時、反作用がある。
また、端部領域３Ｂが張出部３の巻回中心から離れる側に押し出されていることによって、端部領域３Ｂが元の位置に戻ろうとするため、ボルト４への緊縮力が発生する。
【００８６】
また、本発明の脱落防止具３１を、ボルト４のネジ溝が形成された脚部に装着する前は、図示していないが、張出部３の頂部３Ｃと追加張出部３４の頂部３４Ｃは、コイルバネ部２の巻回中心が延びる方向と同じ方向において略同一線上に配置されている。
【００８７】
一方、本発明の脱落防止具３１を、ボルト４のネジ溝が形成された脚部に装着した後は、図９に示すように、張出部３の頂部３Ｃと追加張出部３４の頂部３４Ｃは、コイルバネ部２の巻回中心が延びる方向と同じ方向において同一線上には配置されなくなる。
【００８８】
このとき、本発明の脱落防止具３１を追加張出部３４側から、コイルバネ部２の巻回中心が延びる方向と同じ方向で見ると、図９に示すように略六角形に見え、すべての頂部３Ｃと頂部３４Ｃを目視できる。
【００８９】
すなわち、使用者は、着色された端部領域３Ｂのみならず、略六角形の形状を外部から確認できるので、より一層、脱落防止の効果を目視で確認しやすい。
【００９０】
また、延長コイル素線が多角形状に巻回されていれば、必ずしも略三角形状に巻回されていなくてもよい。例えば、延長コイル素線は略五角形状もしくは略六角形状に巻回されていてもよい。
【００９１】
しかし、延長コイル素線が略三角形状に巻回されていれば、略四角形状もしくは略五角形状に巻回された場合よりも安定して直線部分をボルトのネジ溝に嵌め込むことができるので好ましい。
【００９２】
また、必ずしも端部領域は、他の領域の色と異なる色に着色されていなくてもよい。
しかし、端部領域が、他の領域の色と異なる色に着色されていれば、使用者は脱落防止の効果を目視でさらに確認しやすくなるので好ましい。
【００９３】
また、必ずしも張出部と追加張出部が互いに同じ形状になっていなくてもよい。例えば、張出部は略三角形状であり、追加張出部は略六角形状とすることができる。
【００９４】
ただし、張出部と追加張出部が互いに同じ形状であれば、使用者は、張出部と追加張出部のどちらからボルトへ装着しても、同じように直線部分をネジ溝に嵌め込みやすいため、本発明の脱落防止具の向きを気にすることなくボルトへ装着することができるという利点がある。
【００９５】
以上のように、本発明の脱落防止具は、コイルバネ部を構成するコイル素線の一端から延びる延長コイル素線が、コイルバネ部の巻回範囲より大きい巻回範囲で、かつ、コイルバネ部と同心状に、かつ、複数の頂部がコイルバネ部の巻回中心から互いに略同一の距離に配置された形状である多角形状に、かつ、コイルバネ部の接線方向に略直線状に延びて巻回された張出部を備えているので、延長コイル素線の少なくとも３箇所の直線部分をボルトのネジ溝に嵌め込むことができる。
【００９６】
また、本発明の脱落防止具は、コイル素線の一端から離れた延長コイル素線の先端から所定の範囲の領域であると共にコイルバネ部の巻回中心が延びる方向と同じ方向でコイルバネ部から離れる側に配置された端部領域を有する張出部を備えており、このような張出部はコイルバネ部を囲むように形成されないので、延長コイル素線の少なくとも３箇所の直線部分をボルトのネジ溝に嵌め込みやすい。
【００９７】
また、本発明の脱落防止具は、コイル素線の一端から離れた延長コイル素線の先端から所定の範囲の領域であると共にコイルバネ部の巻回中心が延びる方向と同じ方向でコイルバネ部から離れる側に配置された端部領域を有する張出部を備えているので、張出部がナット側に配置された場合、ナットに押し付けられた端部領域は張出部の巻回範囲の外側すなわち巻回中心から離れる側に押し出され、使用者は、脱落防止の効果を目視で確認することができる。
【００９８】
従って、本発明の脱落防止具は、手や汎用工具で簡単に回転させられることができ、ボルトへの装着を容易に行なうことができる。
【００９９】
また、特に端部領域が他の領域の色と異なる色に着色されているので、使用者は、着色されていない場合に比べて脱落防止の効果を目視でさらに確認しやすい。
【符号の説明】
【０１００】
１    脱落防止具
２    コイルバネ部
２Ａ  コイル素線
３    張出部
３Ａ  延長コイル素線
３Ｂ  端部領域
３Ｃ  頂部
４    ボルト
５    ナット
１１    脱落防止具
１３    張出部
１３Ａ  延長コイル素線
１３Ｂ  湾曲端部領域
１３Ｃ  頂部
１３Ｄ  傾斜部
２１    脱落防止具
２３    張出部
２３Ａ  延長コイル素線
２３Ｂ  端部領域
２３Ｃ  頂部
３１    脱落防止具
３３    張出部
３４    追加張出部
３４Ａ  延長コイル素線
３４Ｂ  追加端部領域
３４Ｃ  追加頂部
【図１】
2017198344.tif 000003
【図２】
2017198344.tif 000004
【図３】
2017198344.tif 000005
【図４】
2017198344.tif 000006
【図５】
2017198344.tif 000007
【図６】
2017198344.tif 000008
【図７】
2017198344.tif 000009
【図８】
2017198344.tif 000010
【図９】
2017198344.tif 000011
【図１０】
2017198344.tif 000012